(57)【要約】【課題】監視モードの表示を簡単、安価に変更することができるとともに、表示シートが汚れることがなく、かつ部外者により取り外すことができない操作ボタン構造を提供する。【解決手段】基板ケース３の前面に配設された複数の操作ボタン４と、該操作ボタンが着脱可能に装着されたスイッチ駆動枠７と、当該操作ボタンの押圧によりスイッチ駆動枠７を回動させスイッチ１２を駆動することによりランプ１３を点灯させる防犯警報器において、前記操作ボタン４は透明材料で成形され、該操作ボタンの背面に透明な表示シート６を着脱可能に装着して構成。【選択図】図２
2004281164.tif 000002
【特許請求の範囲】
【請求項１】
基板ケースの前面に配設された複数の操作ボタンと、該操作ボタンが着脱可能に装着されたスイッチ駆動枠と、当該操作ボタンの押圧によりスイッチ駆動枠を回動させスイッチを駆動することによりランプを点灯させる防犯警報器において、
前記操作ボタンは透明材料で成形され、該操作ボタンの背面に透明な表示シートを着脱可能に装着して構成したことを特徴とする防犯警報器の操作ボタン構造。
【発明の詳細な説明】
【０００１】
【発明の属する技術分野】
本発明は、一般家庭やオフィスビル等に設置される防犯警報器の操作ボタン構造に関する。
【０００２】
【従来の技術】
一般住宅やオフィスビル等の警備を行うための監視システムにおいて、侵入者を検知するためのセンサとセンサに接続された防犯警報器が室内に配置され、センサから異常発生を示す信号を受けると、防犯警報器において異常が発生した区域の区域表示灯を点灯させると共に、異常状態の発生を示す信号を外部に出力するようにしたり、また、防犯警報器を電話回線に自動接続し、異常発生の情報、異常復旧の情報、定時通報等の警備の状況を監視センターへ通報するようにした方式が知られている。
【０００３】
この監視システムにおいては、必要に応じて防犯警報器を警戒状態に設定したり解除状態に設定する必要があり、そのため、装置前面に「おやすみ」「おでかけ」「解除」等の警報モードを表示した操作ボタンを設けている。そして、特許文献１においては、警報モードの名称が操作ボタンの表面に印刷又は彫刻されており、特許文献２においては、警報モードの名称が操作ボタンの周辺部の別の部材に印刷されている。
【０００４】
【特許文献１】意匠登録第１１３７７４４号
【特許文献２】意匠登録第９７５６１４号
【特許文献３】特開平６−２７１２１９号公報
【０００５】
【発明が解決しようとする課題】
ところで、上記の「おやすみ」「おでかけ」の表示は、一般住宅には適しているが、オフィスビルにおいては不適であり、「在室」「退出」等の表示にするのが適しており、従って、警報モードの表示名を変更したいというユーザのニーズがある。しかしながら、上記特許文献１、２の方式は、防犯警報器の設置時に表示名を変更することが難しいという問題を有している。これを解決するために、特許文献１において警報モードを印刷したシートを操作ボタンに貼り付けることも考えられるが、長期使用により汚れたり剥がれたりするという問題を有している。また、特許文献２において操作ボタンの周辺部の別の部材に表示シートを貼り付ける場合には、触りにくくなるので剥がれにくくなるが、操作ボタン以外のスペースが必要になるという問題を有している。
【０００６】
また、上記特許文献３においては、エレベータ用操作ボタンの前面に交換可能な表示プレートを設けるようにしているが、この方式は表示プレートを部外者が容易に取り外すことができるため、これを防犯警報器に適用することはできない。
【０００７】
本発明は、上記従来の問題および課題を解決するものであって、防犯警報器の監視モードを表示する表示シートを簡単に交換することができるとともに、表示シートの汚れを防ぎ、かつ部外者により取り外すことができない操作ボタン構造を提供することを目的とする。
【０００８】
【課題を解決するための手段】
上記の目的を達成するために、本発明の防犯警報器の操作ボタン構造は、基板ケースの前面に配設された複数の操作ボタンと、該操作ボタンが着脱可能に装着されたスイッチ駆動枠と、当該操作ボタンの押圧によりスイッチ駆動枠を回動させスイッチを駆動することによりランプを点灯させる防犯警報器において、前記操作ボタンは透明材料で成形され、該操作ボタンの背面に透明な表示シートを着脱可能に装着して構成したことを特徴とする。
【０００９】
【発明の実施の形態】
以下、図面を参照しつつ本発明の実施の形態について説明する。図１は、本発明に係る防犯警報器の１例を示し全体構成を示す分解斜視図である。
図１において、本発明に係る防犯警報器は、室の壁等に固定される本体ケース１と、本体ケース１に鍵（図示せず）の操作により開閉可能に装着される蓋ケース２とを備え、本体ケース１内には、各種電子基板を内蔵した基板ケース３が固定され、基板ケース３の所定箇所には防犯警報器を動作させるための複数（本例では４つ）の操作ボタン４が着脱自在に装着されている。
【００１０】
基板ケース３には、各操作ボタン４の脱落を抑えその周囲を支持するボタンフレーム５が着脱可能に取り付けられ、各操作ボタン４は蓋ケース２に形成された開口２ａに臨むように配設されている。なお、蓋ケース２とボタンフレーム５を一体に形成するようにしてもよい。
【００１１】
図２は、本発明における防犯警報器の操作ボタン構造の１実施形態を示し、図（Ａ）は図１の要部斜視図、図（Ｂ）は操作ボタンの斜視図、図（Ｃ）は操作ボタン構造の断面図である。
操作ボタン４は、透明な樹脂材料で略直方体状に成形され、その上部には係合突起４ａが形成され、左右の側部にはそれぞれ一対の係合凹部４ｂが形成され、背面の左右には係止突起４ｃが形成されている。
【００１２】
表示シート６には、「おやすみ」「おでかけ」「解除」、「停止」等の警報モードが印字されている。表示シート６は、同じく透明な樹脂材料で成形され、その左右両辺に一対の係止片６ａが形成されており、この係止片６ａを操作ボタン４の係止突起４ｃに係止させることにより、表示シート６を操作ボタン４の背面に着脱可能に装着することができる。なお、操作ボタン４および表示シート６を着色させるようにしてもよい。
【００１３】
基板ケース３には、各操作ボタン４に対向してスイッチ駆動枠７が配設されている。スイッチ駆動枠７は、基板ケース３前面とその裏側基板９との間に固定される基部１０にヒンジ部１１を介して揺動可能に固定されている。スイッチ駆動枠７は断面台形状で操作ボタン４側断面が広く形成されており、スイッチ駆動枠７の前面には、操作ボタン４の係合凹部４ｂに対向する位置に、係合突起７ａが形成されいる。また、基板ケース３の裏面には操作ボタン４の係合突起４ａに対向する位置に係合凹部３ａが形成されている。
【００１４】
そして、操作ボタン４の係合突起４ａを基板ケース３の係合凹部３ａに係合させ、操作ボタン４の係合凹部４ｂをスイッチ駆動枠７の係合突起７ａに係合させることにより、操作ボタン４をスイッチ駆動枠７に着脱可能に装着することができる。
【００１５】
裏側基板９にはスイッチ１２とランプ１３が配設されており、操作ボタン４を押圧すると、スイッチ駆動枠７がヒンジ部１１を介して回動しスイッチ駆動枠７に設けられたアーム７ｂがスイッチ１２を押圧駆動し、ランプ１３を点灯させる構造になっている。なお、スイッチ駆動枠７は断面台形状で操作ボタン４側断面が広く形成されており、ランプ１３の光を操作ボタン４側に効率良く反射させる構造になっている。
【００１６】
上記構成からなる本発明の作用について説明する。「おやすみ」「おでかけ」等の警報モードが印字されている表示シート６を、「在室」「退出」等が印字されている表示シート６に交換する場合には、蓋ケース２を開きボタンフレーム５を取り外した後、操作ボタン４を基板ケース３から取り外し、表示シート６を交換をする。その後、操作ボタン４をスイッチ駆動枠７に装着する。
【００１７】
以上、本発明の実施の形態について説明したが、本発明はこれに限定されるものではなく、種々の変更が可能である。例えば、上記実施形態においては、表示シート６を操作ボタン４の係止突起４ｃに係止させるようにしているが、操作ボタン４背面の目立たない箇所に粘着剤を塗布して貼り付けるようにしてもよい。
【００１８】
【発明の効果】
以上の説明から明らかなように、本発明によれば、操作ボタンの背面に装着されている表示シートの交換だけですむので、監視モードの表示を簡単、安価に変更することができるとともに、表示シートが汚れることがなく、かつ部外者により取り外すことができない操作ボタン構造を提供することができる。
【図面の簡単な説明】
【図１】本発明に係る防犯警報器の１例を説明するための図である。
【図２】本発明における防犯警報器の操作ボタン構造の１実施形態を説明するための図である。
【符号の説明】
３…基板ケース、４…操作ボタン、６…表示シート、７…スイッチ駆動枠
１２…スイッチ、１３…ランプ
【図１】
2004281164.tif 000003
【図２】
2004281164.tif 000004